(57)【要約】【課題】  本発明は、依頼者の肉声によるナレーションが収録された記録媒体を製造するための音声の録音手順を依頼者に指示する方法を提供することを目的とする。【解決手段】  画像およびそれに対応する依頼者の音声によるナレーションが収録された記録媒体を製造するための、音声の録音手順を通信ネットワークを介して依頼者に指示する方法であって、（１）受注ステップ、（２）案内ステップ、（３）サーバーが、録音画面において録音手順を依頼者に指示する録音ステップであって、録音画面が、複数の画面から構成され、（ｉ）各画面ごとに、画像およびナレーション原稿を表示すると共に、アニメーションで録音手順を指示し、（ｉｉ）ボタン操作により次画面への移動若しくは同じ画面を繰り返す機能を有する、録音ステップおよび（４）個人情報入力ステップ、からなる音声の録音手順を指示する方法。【選択図】  図２
2005267065.tif 000002
【特許請求の範囲】
【請求項１】
画像およびそれに対応する依頼者の音声によるナレーションが収録された記録媒体を製造するための、音声の録音手順を通信ネットワークを介して依頼者に指示する方法であって、
（１）サーバーが、依頼者からの注文を受け付ける受注ステップ、
（２）サーバーが、依頼者に録音画面のＵＲＬを案内する案内ステップ、
（３）サーバーが、録音画面において録音手順を依頼者に指示する録音ステップであって、録音画面が、複数の画面から構成され、（ｉ）各画面ごとに、画像およびナレーション原稿を表示すると共に、アニメーションで録音手順を指示し、（ｉｉ）ボタン操作により次画面への移動若しくは同じ画面を繰り返す機能を有する、録音ステップ、および
（４）サーバーが、依頼者に個人情報の入力を指示する個人情報入力ステップ、からなる音声の録音手順を指示する方法。
【請求項２】
ナレーション原稿上に、読み上げる部位を表示する請求項１に記載の方法。
【請求項３】
画像およびそれに対応する依頼者の音声によるナレーションが収録された記録媒体を通信ネットワークを介して製造する方法であって、
（１）サーバーが、依頼者からの注文を受け付ける受注ステップ、
（２）サーバーが、依頼者に録音画面のＵＲＬを案内する案内ステップ、
（３）サーバーが、録音画面において録音手順を依頼者に指示する録音ステップであって、録音画面が、複数の画面から構成され、（ｉ）各画面ごとに、画像およびナレーション原稿を表示すると共に、アニメーションで録音手順を指示し、（ｉｉ）ボタン操作により次画面への移動若しくは同じ画面を繰り返す機能を有する録音ステップ、
（４）サーバーが、依頼者に個人情報の入力を指示する個人情報入力ステップ、
（５）サーバーが、依頼者の端末に録音された音声データおよび個人情報を受信するステップ、
（６）サーバーが、受信した音声データを記録媒体の制作用コンピューターへ送信するステップ、
からなる記録媒体の製造方法。
【請求項４】
請求項１に記載の方法により得られた音声とそれに対応する画像を収録した記録媒体。
【発明の詳細な説明】
【技術分野】
【０００１】
本発明は、依頼者の音声が収録された、ＤＶＤ−Ｒ等の記録媒体を製造する方法に関する。さらに詳しくは、依頼者の音声によるナレーションと画像とを収録したＤＶＤ−Ｒ等の記録媒体を製造するに際して、音声の録音手順を通信ネットワークを介して依頼者に指示する方法である。また該指示する方法を用いて記録媒体を製造する方法に関する。
【背景技術】
【０００２】
近年、コンピューター技術の発達を背景として、従来の紙を主体とする記録媒体に代わり様々な情報記録手段が提案されつつある。例えば、漫画中に記載されている台詞などの文字を削除し、台詞、ナレーション、音楽などを別の媒体に録音し、絵の部分と音声の部分とを切り離し、両者をセットにして販売することが提案されている（特許文献１参照）。
【０００３】
また、童話や映画を収録した市販のＤＶＤ等の記録媒体も販売されている。このようなＤＶＤ等には製作者の作成した画像および音声が収録されている。ＤＶＤ等は、大量生産を目的とするもので、個人に対応した記録媒体を製造し、販売することは一般的には行われていない。
【特許文献１】特開２００２−１１３９７２号公報
【発明の開示】
【発明が解決しようとする課題】
【０００４】
しかし、個人に対応した記録媒体についても潜在的な需要があるものと推測される。例えば、幼児を対象とする童話のナレーションに、両親、祖父母等の肉声が用いられた場合には、視聴する幼児に対する印象は格別である。このような童話が収録されたＤＶＤ等の記録媒体は幼児の誕生日プレゼント、入園、進学の贈答品としての市場が期待できる。よって、依頼者の肉声によるナレーションが収録されたオリジナルな記録媒体を簡単に製造する方法の開発が期待される。
【０００５】
しかし、依頼者の肉声を録音するために、依頼者に録音設備の整った場所に来てもらい録音作業を行うのは、手軽にオリジナルな記録媒体を作成できるとは言い難い。
【０００６】
また、依頼者にナレーション原稿と、カセットテープ、ボイスレコーダー、ＭＤ等の記録媒体とを郵送し、依頼者が原稿に従い朗読を行いナレーションを録音し記録媒体を返送してもらうことも可能である。しかし、この方法では画像の変化する速度とナレーションの速度との対応がとれない場合がある。また、連続的に録音されるカセットテープ、ＭＤ等の記録媒体では、ナレーションを失敗した場合にやり直しに手間取り、また、編集作業も煩雑となる場合がある。
【０００７】
従って、依頼者に画像とナレーションとの対応関係を明示すると共に、録音速度をオンタイムで指示しながら簡便にナレーションを録音するサービスを提供する必要がある。
【０００８】
そこで、本発明は、インターネット等の通信ネットワークを使用し、依頼者に画像とナレーションとの対応関係を明示すると共に、録音速度をオンタイムで指示しながら、音声の録音手順を指示する方法を提供することを目的とする。
【０００９】
また、本発明は、上記録音手順を指示する方法を用いて記録媒体を製造する方法を提供することを目的とする。
【００１０】
さらに、本発明は、上記方法により得られる記録媒体を包含する。
【課題を解決するための手段】
【００１１】
即ち、本発明は、画像およびそれに対応する依頼者の音声によるナレーションが収録された記録媒体を製造するための、音声の録音手順を通信ネットワークを介して依頼者に指示する方法であって、
（１）サーバーが、依頼者からの注文を受け付ける受注ステップ、
（２）サーバーが、依頼者に録音画面のＵＲＬを案内する案内ステップ、
（３）サーバーが、録音画面において録音手順を依頼者に指示する録音ステップであって、録音画面が、複数の画面から構成され、（ｉ）各画面ごとに、画像およびナレーション原稿を表示すると共に、アニメーションで録音手順を指示し、（ｉｉ）ボタン操作により次画面への移動若しくは同じ画面を繰り返す機能を有する、録音ステップおよび
（４）サーバーが、依頼者に個人情報の入力を指示する個人情報入力ステップ、からなる音声の録音手順を指示する方法である。
【００１２】
また本発明は、画像およびそれに対応する依頼者の音声によるナレーションが収録された記録媒体を通信ネットワークを介して製造する方法であって、
（１）サーバーが、依頼者からの注文を受け付ける受注ステップ、
（２）サーバーが、依頼者に録音画面のＵＲＬを案内する案内ステップ、
（３）サーバーが、録音画面において録音手順を依頼者に指示する録音ステップであって、録音画面が、複数の画面から構成され、（ｉ）各画面ごとに、画像およびナレーション原稿を表示すると共に、アニメーションで録音手順を指示し、（ｉｉ）ボタン操作により次画面への移動若しくは同じ画面を繰り返す機能を有する録音ステップ、
（４）サーバーが、依頼者に個人情報の入力を指示する個人情報入力ステップ、
（５）サーバーが、依頼者の端末に録音された音声データおよび個人情報を受信するステップ、
（６）サーバーが、受信した音声データを記録媒体の制作用コンピューターへ送信するステップ、
からなる記録媒体の製造方法である。
【００１３】
さらに本発明は、上記の方法により得られた音声とそれに対応する画像を収録した記録媒体を包含する。
【発明の効果】
【００１４】
本発明によれば、依頼者の肉声が収録されたオリジナルな記録媒体を簡単に製造することができる。
【００１５】
本発明によれば、依頼者が、通信ネットワークを介して実際の画像を見ながら、ナレーションを録音することができるので、画像とナレーションとの対応がとれた作品を簡単に製造することができる。
【発明を実施するための最良の形態】
【００１６】
本発明の録音手順を指示する方法は、画像およびそれに対応する依頼者の音声によるナレーションが収録された記録媒体を製造するために、ナレーションの録音手順を通信ネットワークを介して、依頼者に指示する方法である。
【００１７】
画像として、アニメーションなどの動画、写真などの静止画が挙げられる。ナレーションは、語り、解説、登場人物の台詞等の何れであっても良い。
【００１８】
以下、童話のアニメーションについて、ナレーションを録音する手順を指示する方法について説明する。
【００１９】
（受注ステップ）
受注ステップは、依頼者が依頼者の端末から、インターネット等の通信ネットワーク上の記録媒体の製造者（製造者）のホームページ（ＨＰ）にアクセスして、ＨＰに掲載されている「ももたろう」、「鶴の恩返し」、「一寸法師」等の物語の中から少なくとも一つの物語を選択することから始まる。依頼者は所定の申し込み画面に、選択した物語を表示し、自己のメールアドレス等を入力する。
【００２０】
（案内ステップ）
製造者のサーバーは注文を受け付けると同時に、依頼者の選択した物語の録音画面のＵＲＬ（ホームページのアドレス）を通信ネットワークを介して依頼者に案内する。依頼者は案内に従い、希望する物語の録音画面へアクセスすることができる。
【００２１】
（録音ステップ）
録音ステップは、依頼者が録音画面の指示に従いナレーションを録音するステップである。
【００２２】
録音する媒体は、依頼者の端末がマイク等の音声入力手段を有する場合には依頼者の端末から録音することが好ましい。
【００２３】
依頼者の端末が音声入力装置を有さない場合には、他の独立した媒体、例えばカセットテープ、デジタルビデオテープ、ボイスレコーダー、ＭＤ等に録音し、製造者に郵送することも出来る。
【００２４】
録音画面は、複数の画面から構成され、サーバーが各画面ごとに、童話の画像およびナレーション原稿を表示すると共に、アニメーション（画像）で録音手順を指示する。その際アニメーションに加えて音声で録音手順を指示することが好ましい。
【００２５】
具体的には、録音画面は、物語の場面に対応する複数の画面から構成され、各画面には画像およびナレーション原稿が表示され、依頼者は画像およびそれに対応する録音すべきナレーションを視覚により把握することができる。即ち、図１に示すようにアニメーションの画像と共に実際に読む文章（ナレーション原稿）を表示する。
【００２６】
また音声による指示により読み上げを開始する時期を知ることができる。さらに、ナレーションの例を音声で出力することにより、依頼者にナレーションの内容を知らせることが出来る。
【００２７】
録音時には、ナレーション原稿上に読み上げる部位を表示することが好ましい。即ち、経時的に、ナレーション原稿の文字の色、大きさを変化させたり、下線などを表示し読み上げる位置を示し、依頼者に読み上げる速度を指示することが好ましい。このような表示はアニメーションにより表示することが好ましい。
【００２８】
録音画面は、次画面への移動若しくは同じ画面を繰り返す機能を有する。録音画面上には、そのためのボタンを表示することが好ましい。即ち、図２に示すように画面を次画面へ移動させるボタン（次へ）および同じ画面を繰り返すボタン（やりなおす）を表示することが好ましい。
【００２９】
また、依頼者の端末が音声の入力および再生手段を有する場合には、録音した音声を画像と共に再生する機能を有することが好ましい。この場合図２に示すように再生させるボタン（もう一度聞く）を表示することが好ましい。
【００３０】
全画面の録音が終了した後に、再確認の画面を表示し、各画面についての録音をやり直すことができるようにすることが好ましい。即ち、図３に示すような画面を表示し、録音の再確認ができる機能を有することが好ましい。
【００３１】
（個人情報入力ステップ）
本発明の音声の録音手順を指示する方法においては、サーバーが依頼者の個人情報の入力を指示するステップを有する。個人情報として、依頼者の住所、連絡先、支払い方法等の商品の発送に必要な情報が挙げられる。入力された音声データおよび個人情報は通信ネットワークを介して、製造者のサーバーに格納される。
【００３２】
＜記録媒体の製造方法＞
本発明の記録媒体の製造方法は、上記の録音手順に加えて、
（５）サーバーが、通信ネットワークを介して、依頼者の端末に入力された音声データおよび個人情報を受信するステップおよび
（６）サーバーが、受信した音声データを記録媒体の制作用コンピューターへ送信するステップを包含する。
【００３３】
本発明の記録媒体の製造方法は、上記の録音手順により録音された音声データおよび個人情報をサーバーが受付、これらのデータを記録媒体の制作用コンピューターへ送信することからなる。
【００３４】
サーバーに受付られた個人情報は、顧客名簿、請求書等の作成のために利用される。音声データは、記録媒体の制作用コンピューターへ送られ、画像、音楽等と共に編集され、画像とそれに対応する依頼者の音声とが収録されたオリジナルなＤＶＤ−Ｒなどの記録媒体が製造される。
【産業上の利用可能性】
【００３５】
本発明によれば、通信ネットワークを利用した新たなサービスを提供することが出来る。
【図面の簡単な説明】
【００３６】
【図１】図１は、録音画面の一例を示す。
【図２】図２は、録音画面の一例を示す。
【図３】図３は、再確認の画面の一例を示す。
【図１】
2005267065.tif 000003
【図２】
2005267065.tif 000004
【図３】
2005267065.tif 000005